(57)【要約】【課題】撮影画像に合成されるテンプレートの入手又は利用の可否を、ユーザの位置によって制御し、プレミアム感のあるテンプレートをユーザに提供する。【解決手段】本実施形態による撮影編集プログラムは、電波発信機から前記電波発信機の識別情報を含む電波を受信するステップと、前記電波の受信後、前記識別情報を含む電波検知情報をサーバ装置２へ送信するステップと、サーバ装置２から、前記識別情報に対応する、画像挿入領域を含むテンプレートを受信するステップと、前記テンプレートを表示部１２に表示させるステップと、撮影部１４で撮影された画像を前記画像挿入領域に挿入して、前記テンプレートを編集するステップと、をコンピュータに実行させるものである。【選択図】図１
2019045961.tif 000002
【特許請求の範囲】
【請求項１】
電波発信機から前記電波発信機の識別情報を含む電波を受信するステップと、
前記電波の受信後、前記識別情報を含む電波検知情報をサーバ装置へ送信するステップと、
前記サーバ装置から、前記識別情報に対応する、画像挿入領域を含むテンプレートを受信するステップと、
前記テンプレートを表示部に表示させるステップと、
撮影部で撮影された画像を前記画像挿入領域に挿入して、前記テンプレートを編集するステップと、
をコンピュータに実行させる撮影編集プログラム。
【請求項２】
前記画像挿入領域には撮影条件が設定されており、前記撮影条件を満たす場合に撮影画像が挿入可能になることを特徴とする請求項１に記載の撮影編集プログラム。
【請求項３】
前記撮影条件は、撮影場所及び撮影日時の少なくともいずれか一方を含むことを特徴とする請求項２に記載の撮影編集プログラム。
【請求項４】
電波発信機から前記電波発信機の第１識別情報を含む電波を受信するステップと、
記憶部に格納されている、画像挿入領域を含むテンプレートに対応付けられた第２識別情報と、前記第１識別情報とを比較するステップと、
前記第１識別情報と前記第２識別情報とが一致した場合、撮影部で撮影された画像を前記画像挿入領域に挿入して、前記テンプレートを編集するステップと、
をコンピュータに実行させる撮影編集プログラム。
【請求項５】
表示部及び撮影部を有する携帯端末と、画像挿入領域を含むテンプレートのデータを記憶するサーバ装置とを用いた撮影編集方法であって、
前記携帯端末が、電波発信機から前記電波発信機の識別情報を含む電波を受信し、前記識別情報を含む電波検知情報を前記サーバ装置へ送信し、
前記サーバ装置が、前記携帯端末から前記電波検知情報を受信し、受信した電波検知情報に含まれる識別情報に対応するテンプレートを前記携帯端末へ送信し、
前記携帯端末が、前記サーバ装置から受信したテンプレートを前記表示部に表示し、前記撮影部で撮影された画像を前記画像挿入領域に挿入して、前記テンプレートを編集することを特徴とする撮影編集方法。
【請求項６】
前記携帯端末が、編集後の前記テンプレートのデータをプリンタへ転送し、プリント物を作製することを特徴とする請求項５に記載の撮影編集方法。
【発明の詳細な説明】
【技術分野】
【０００１】
本発明は、撮影編集プログラム及び撮影編集方法に関する。
【背景技術】
【０００２】
現在、スマートフォンやデジタルカメラ等で撮影された画像が、プリント出力されたり、ＳＮＳにアップロードされたりしている。ユーザは、撮影画像をそのまま利用する以外に、所望のテンプレートと合成した合成画像を利用することがある。
【０００３】
例えば、特許文献１には、期間を表す時間属性を付与した複数のテンプレートを準備しておき、各テンプレートの時間属性と撮影画像の撮影日時とを比較して、撮影画像に適したテンプレートを選択するテンプレート選択方法が開示されている。
【０００４】
また、従来、商品を購入すると、購入商品に関連するテンプレートデータをダウンロードできるサービスが展開されていた。
【先行技術文献】
【特許文献】
【０００５】
【特許文献１】特開２００６−３３８５９２号公報
【発明の概要】
【発明が解決しようとする課題】
【０００６】
本発明は、撮影画像に合成されるテンプレートの入手又は利用の可否を、ユーザの位置によって制御し、プレミアム感のあるテンプレートをユーザに提供する撮影編集プログラム及び撮影編集方法を提供することを課題とする。
【課題を解決するための手段】
【０００７】
本発明による撮影編集プログラムは、電波発信機から前記電波発信機の識別情報を含む電波を受信するステップと、前記電波の受信後、前記識別情報を含む電波検知情報をサーバ装置へ送信するステップと、前記サーバ装置から、前記識別情報に対応する、画像挿入領域を含むテンプレートを受信するステップと、前記テンプレートを表示部に表示させるステップと、撮影部で撮影された画像を前記画像挿入領域に挿入して、前記テンプレートを編集するステップと、をコンピュータに実行させるものである。
【０００８】
本発明の一態様による撮影編集プログラムにおいて、前記画像挿入領域には撮影条件が設定されており、前記撮影条件を満たす場合に撮影画像が挿入可能になる。
【０００９】
本発明の一態様による撮影編集プログラムにおいて、前記撮影条件は、撮影場所及び撮影日時の少なくともいずれか一方を含む。
【００１０】
本発明による撮影編集プログラムは、電波発信機から前記電波発信機の第１識別情報を含む電波を受信するステップと、記憶部に格納されている、画像挿入領域を含むテンプレートに対応付けられた第２識別情報と、前記第１識別情報とを比較するステップと、前記第１識別情報と前記第２識別情報とが一致した場合、撮影部で撮影された画像を前記画像挿入領域に挿入して、前記テンプレートを編集するステップと、をコンピュータに実行させるものである。
【００１１】
本発明による撮影編集方法は、表示部及び撮影部を有する携帯端末と、画像挿入領域を含むテンプレートのデータを記憶するサーバ装置とを用いた撮影編集方法であって、前記携帯端末が、電波発信機から前記電波発信機の識別情報を含む電波を受信し、前記識別情報を含む電波検知情報を前記サーバ装置へ送信し、前記サーバ装置が、前記携帯端末から前記電波検知情報を受信し、受信した電波検知情報に含まれる識別情報に対応するテンプレートを前記携帯端末へ送信し、前記携帯端末が、前記サーバ装置から受信したテンプレートを前記表示部に表示し、前記撮影部で撮影された画像を前記画像挿入領域に挿入して、前記テンプレートを編集するものである。
【００１２】
本発明の一態様による撮影編集方法は、前記携帯端末が、編集後の前記テンプレートのデータをプリンタへ転送し、プリント物を作製する。
【発明の効果】
【００１３】
本発明によれば、撮影画像に合成されるテンプレートの入手又は利用の可否を、ユーザの位置によって制御し、プレミアム感のあるテンプレートをユーザに提供することができる。
【図面の簡単な説明】
【００１４】
【図１】本発明の実施形態による撮影編集システムの概略図である。
【図２】デザインテンプレートの表示例を示す図である。
【図３】デザインテンプレートの表示例を示す図である。
【図４】携帯端末のハードウェア構成図である。
【図５】撮影編集プログラムの実行により実現される機能ブロック図である。
【図６】サーバ装置の概略構成図である。
【図７】同実施形態による撮影編集方法を説明するフローチャートである。
【発明を実施するための形態】
【００１５】
図１は、本発明の実施形態による撮影編集システムの概略構成を示す。本実施形態では、ユーザが所定の場所に赴くと、ユーザが所有する携帯端末１が、その場所に設置されているビーコン端末３からビーコン信号を受信する。ビーコン信号には、ビーコン端末３を識別する識別情報（ＵＵＩＤ等）が含まれている。携帯端末１は、例えばスマートフォンやタブレット機器等である。
【００１６】
携帯端末１は、ビーコン信号を受信すると、識別情報と共に、ビーコン信号を検知したことをサーバ装置２に通知する。サーバ装置２は、１つ又は複数の画像挿入領域を含むデザインテンプレート（以下「テンプレート」という）のデータを保存しており、携帯端末１から識別情報を受信すると、この識別情報に対応するテンプレートを携帯端末１へ送信する。テンプレートは、例えば、ユーザが赴いた場所に関連したイラスト等を含むものである。
【００１７】
図２は、携帯端末１の表示部（タッチパネルＰ）に表示されたテンプレートＴの例を示す。テンプレートＴは、複数の画像挿入領域４ａ〜４ｄを有する。ユーザが画像挿入領域４ａ〜４ｄのいずれかをタッチして選択すると、携帯端末１に内蔵されているカメラが起動し、撮影が行えるようになる。撮影を行うと、選択された画像挿入領域に撮影画像が挿入される。図３は、画像挿入領域４ａ及び４ｄに撮影画像が挿入された例を示す。
【００１８】
テンプレートＴの全ての画像挿入領域に撮影画像が挿入されると、このテンプレートＴをプリントしたフォトブックやポスター等の印画物を注文することができる。また、全て（又は所定数以上）の撮影画像が挿入されたテンプレートＴを、所定のカウンターで提示することで、特典の景品が受け取れるようにしてもよい。
【００１９】
このように、本実施形態によれば、所定の場所に実際に行かないと入手できないプレミアム感のあるテンプレートをユーザに配信することができる。
【００２０】
図４は携帯端末１のハードウェア構成例を示す。携帯端末１は、ＣＰＵ１０（演算制御部）、記憶部１１、表示部１２、操作部１３、撮影部１４、ＧＰＳ受信部１５、及び通信部１６を有する。
【００２１】
記憶部１１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等の組み合わせであり、撮影編集プログラムを記憶する。撮影編集プログラムは、例えばインターネット上のウェブサイトからダウンロードして、携帯端末１に予めインストールされている。また、記憶部１１は、撮影処理により生成された撮影画像データや、サーバ装置２から受信したテンプレートデータを記憶する。
【００２２】
表示部１２は、各種情報を表示する。操作部１３は、ユーザからの操作を受け付ける。本実施形態では、表示部１２及び操作部１３の機能を有するタッチパネルＰが設けられている。
【００２３】
撮影部１４は、携帯端末１に内蔵されているデジタルカメラであり、ＣＣＤ（Charged  coupled  devices）センサや、ＣＭＯＳ（Complementary  metal-oxide-semiconductor）センサを用いたものである。
【００２４】
ＧＰＳ受信部１５は、ＧＰＳ衛星から発せられる電波を受信し、ＧＰＳ情報に基づいて、携帯端末１が存在する現在地の位置情報（緯度及び経度）を取得する。
【００２５】
通信部１６は、インターネット等を介して、サーバ装置２と通信を行い、撮影編集プログラムやテンプレートデータを取得する。また、通信部１６は、ビーコン端末３との間でＢｌｕｅｔｏｏｔｈ（登録商標）規格に基づいて短距離無線通信を行うことができる。
【００２６】
ＣＰＵ１０が撮影編集プログラムを実行することで、図５に示すように、電波受信部１０１、電波検知情報送信部１０２、テンプレート受信部１０３、表示処理部１０４、撮影処理部１０５、合成部１０６、及び注文処理部１０７が実現される。各部の処理については後述する。
【００２７】
図６は、サーバ装置２の概略構成を示す。サーバ装置２は、携帯端末１から、ビーコン信号を検知したことと共に、ビーコン信号に含まれるビーコン端末３の識別情報を受信すると、識別情報に対応するテンプレートデータを携帯端末１へ送信する。
【００２８】
サーバ装置２は、制御部２０、記憶部２４、及び通信部２７を有する。記憶部２４は、制御部２０が各種の処理を実行するために必要なプログラム、データ等を記憶する記憶領域であり、ハードディスクや半導体メモリが用いられる。通信部２７は、通信ネットワークを介して携帯端末１と通信を行うためのインタフェース部である。
【００２９】
記憶部２４は、ビーコン管理テーブル２５及びテンプレートデータ２６を格納する。ビーコン管理テーブル２５は、ビーコン信号に含まれる識別情報と、テンプレートデータ２６との対応関係が記述されている。
【００３０】
制御部２０は、サーバ装置２の全体を制御するＣＰＵである。制御部２０は、記憶部２４に記憶されているＯＳやアプリケーションプログラムを適宜実行し、各種機能を実行する。制御部２０は、電波検知情報受信部２１、判定部２２、及びテンプレート送信部２３を有する。
【００３１】
電波検知情報受信部２１は、携帯端末１から電波検知情報を受信する。電波検知情報は、ビーコン信号を検知したことを通知するものであり、ビーコン端末３の識別情報を含む。
【００３２】
判定部２２は、ビーコン管理テーブル２５を参照し、電波検知情報に含まれる識別情報に対応するテンプレートを判定する。
【００３３】
テンプレート送信部２３は、識別情報に対応するテンプレートデータを携帯端末１へ送信する。
【００３４】
次に、図７に示すフローチャートを用いて、本実施形態による撮影編集方法を説明する。
【００３５】
携帯端末１を所持したユーザが所定の場所へ行き、ビーコン端末３に近付くと、携帯端末１の電波受信部１０１がビーコン端末３からビーコン信号を受信する（ステップＳ１）。電波検知情報送信部１０２は、受信したビーコン信号に含まれる識別情報（ビーコンＩＤ）を含む電波検知情報を生成し、サーバ装置２へ送信する（ステップＳ２）。
【００３６】
サーバ装置２では、電波検知情報に含まれる識別情報と、ビーコン管理テーブル２５に定義されている識別情報とが一致するか判定される。識別情報が一致する場合（ステップＳ３＿Ｙｅｓ）、サーバ装置２は、識別情報に対応するテンプレートデータを携帯端末１へ送信する。携帯端末１のテンプレート受信部１０３が、サーバ装置２からテンプレートデータを受信する（ステップＳ４）。
【００３７】
表示処理部１０４が、テンプレートデータをタッチパネルＰに表示する（ステップＳ５）。例えば、図２に示すように、テンプレートＴは複数の画像挿入領域４ａ〜４ｄを含む。
【００３８】
ユーザにより画像挿入領域がタッチして選択されると（ステップＳ６）、撮影処理部１０５が撮影部１４を起動する。ユーザがシャッター操作を行うことで撮影が行われ、撮影画像が生成される（ステップＳ７）。
【００３９】
合成部１０６は、撮影画像を、テンプレートの画像挿入領域に挿入して合成する（ステップＳ８）。
【００４０】
テンプレートの全ての画像挿入領域に撮影画像を挿入し、テンプレートを完成させると（ステップＳ９＿Ｙｅｓ）、フォトブック等の印画物の注文を行えるようになる。注文処理部１０７は、フォトブック等の注文受付処理を行い、必要に応じてクレジット決済等の課金処理を行い、注文情報をサービス提供者サーバへ送信する（ステップＳ１０）。後日、作製されたフォトブック等が注文者の元へ配送される。フォトブック注文だけでなくフォト注文を行えるようにしてもよい。フォト注文を行った場合は、Ｌサイズや２Ｌサイズ等で出力された写真が、後日配送される。
【００４１】
このように、本実施形態では、所定の場所に実際に行くことで、撮影画像に合成されるテンプレートが携帯端末１へ配信されるようにできるため、テンプレートにプレミアム感を付与することができる。
【００４２】
上記実施形態では、携帯端末１がビーコン信号を受信することで、ユーザが所定の場所にいることを特定していたが、ビーコン端末に限定されず、Ｂｌｕｅｔｏｏｔｈ（登録商標）や赤外線、Ｗｉ−Ｆｉ（登録商標）等の他の通信規格に基づく電波（信号）を発信する電波発信機を用いてもよい。また、所定の場所に設置された無線ＬＡＮアクセスポイントを介してサーバ装置２にアクセスすることで、ユーザの位置が特定されるようにしてもよい。
【００４３】
また、携帯端末１は、ＧＰＳによる位置情報をサーバ装置２に通知し、テンプレートデータを取得するようにしてもよい。
【００４４】
テンプレートの画像挿入領域は、特定の撮影場所で撮影した画像だけが挿入可能になっていてもよい。また、撮影場所だけでなく、撮影日時等の他の条件が設定できるようになっていてもよい。この場合、テンプレートデータに、各画像挿入領域に挿入される画像の撮影条件が定義される。携帯端末１は、現在日時やＧＰＳ位置情報等に基づいて、撮影条件を満たす画像挿入領域があるか否か判定し、撮影条件を満たす画像挿入領域のみユーザが選択できるように制御する。
【００４５】
画像挿入領域に設定される撮影場所は複数箇所でもよい。撮影場所を示すマップを表示する機能が設けられていてもよい。また、現在地から撮影場所までのルート（歩行経路や列車の乗り換え）案内が表示されるようにしてもよい。
【００４６】
テンプレートの画像挿入領域に設定される撮影条件は、撮影場所や撮影日時だけでなく、撮影手段であってもよい。例えば、撮影手段は、携帯端末１の撮影部１４（内蔵カメラ）や、外部カメラである。外部カメラは、店舗内や建物の壁面等に設置される。携帯端末１は、外部カメラと通信を行い、撮影画像を取得することができる。
【００４７】
テンプレートは、何も条件が設定されていない画像挿入領域を含んでいてもよい。例えば、テンプレートに設けられた４個の画像挿入領域のうち、３個の画像挿入領域には特定の場所で撮影した画像だけが挿入可能になるような条件が設定され、１個の画像挿入領域には何も条件を設定せず、ユーザの好きな画像が挿入できるようにしてもよい。
【００４８】
上記実施形態による撮影編集システムは、例えば、鉄道車両に適用することができる。鉄道の新型車両内で提供される無線ＬＡＮに接続したり、新型車両に設置されたビーコン端末からビーコン信号を受信したりすることで、携帯端末１はサーバ装置２から、新型車両デザインの記念テンプレートを入手できる。また、イベントを開催する駅にプリンタを設置し、撮影画像とテンプレートとを合成した合成画像データを携帯端末１からプリンタへ転送することで、プリント物が作製されるようにしてもよい。
【００４９】
これにより、鉄道の新型車両を周知するキャンペーンを展開することができる。また、プリンタを設置した駅でのイベントに利用者を誘導することができる。
【００５０】
携帯端末１に配信されるテンプレートは、図２に示すような撮影画像を挿入・配置するフレームに限定されず、画像編集に使用するアイコンやスタンプ等の素材であってもよい。
【００５１】
ユーザが所定の場所へ赴き、携帯端末１でテンプレートを取得した後は、このテンプレートを他端末で使用できるようにしてもよい。例えば、ユーザは、テンプレート取得後、自宅へ戻り、自宅ＰＣを使用して、テンプレート配信業者が提供する画像編集サイトにアクセスし、ユーザＩＤ及びパスワードを入力してログインする。画像編集サイトでは、携帯端末１で取得したものと同じテンプレートを使用して、画像編集を行うことができる。
【００５２】
上記実施形態では、携帯端末１が識別情報を含む電波を受信すると、サーバ装置２から識別情報に対応するテンプレートを取得する例について説明したが、携帯端末１が遊園地等における貸出用端末である場合は、携帯端末１にテンプレートを予めインストール（記憶部１１に格納）しておいてもよい。このテンプレートは、携帯端末１が所定の識別情報を含む電波を受信すると使用可能となる。携帯端末１は、電波を受信すると、この電波に含まれる第１識別情報と、テンプレートに対応付けられた第２識別情報とを比較し、両者が一致するか否か判定する。第１識別情報と第２識別情報とが一致した場合、テンプレートの使用を開始し、ユーザにより画像挿入領域がタッチして選択されると、撮影部１４を起動し、撮影画像が画像挿入領域に挿入できるようになる。識別情報が一致するまでは、ユーザにより画像挿入領域がタッチされても、撮影部１４は起動しない。
【００５３】
上述した実施形態で説明した撮影編集プログラムをＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。また、撮影編集プログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５５】
１  携帯端末
２  サーバ装置
３  ビーコン端末
【図１】
2019045961.tif 000003
【図２】
2019045961.tif 000004
【図３】
2019045961.tif 000005
【図４】
2019045961.tif 000006
【図５】
2019045961.tif 000007
【図６】
2019045961.tif 000008
【図７】
2019045961.tif 000009